(57)【特許請求の範囲】
【請求項１】
被測定者の両眼の眼底を照明する照明光束を発する光源部と、該光源部からの照明光束を被測定者の両眼の眼底に照射する照射光学系と、照明光束が照射された被測定者の両眼の眼底からの反射光束の一部を遮光し、測定対象眼の瞳と略共役位置でその眼屈折力に応じて光量分布に変化が生じる様に、その光路内に配置された遮光部を含む受光光学系と、測定対象眼の瞳と略共役位置に配置され、前記受光光学系からの受光光束を受光する受光部と、該受光部からの前眼部信号を記憶する記憶部と、測定者の操作に応じて、視標を被測定者に第１視標位置から、これと異なる第２視標位置迄視標呈示位置を変化させて呈示する視標系と、該視標系により視標位置の変化前及び変化後に得られた前記受光部の受光信号に基づき、視標位置変化の前後の測定対象眼の瞳孔間距離、眼屈折力及び瞳孔径の内少なくとも１つを求める制御演算部と、測定期間中の測定対象眼の前眼部像を表示すると共に測定期間中の測定結果である前記測定対象眼の瞳孔間距離、眼屈折力及び瞳孔径のデータをリアルタイムに経時的に表示する表示部とを具備し、前記制御演算部は演算処理に必要な時間だけ遅延させて測定対象眼の前眼部像を前記表示部に表示させ、前記視標位置が変化した状態での前眼部像とその測定結果とがリアルタイムで表示される様に構成したことを特徴とする眼科測定装置。
【請求項２】
前記記憶部は、前記視標系による視標の動きと関連させ、前記受光部の前眼部信号と、前記演算制御部による演算結果を記憶し、前記表示部は前記記憶部に記憶された前眼部信号及び前記演算結果に基づき前記視標系による視標の動きと関連させて、前記受光部の前眼部と前記制御演算部による演算結果を表示する様構成した請求項１の眼科測定装置。
【請求項３】
前記表示部は視標系による視標の動きと関連させ、前記受光部での測定対象眼の瞳の動きが一連に判別可能に、瞳の像を並べ表示する様構成した請求項１又は請求項２の眼科測定装置。
【請求項４】
被測定者の両眼の眼底を照明する照明光束を発する光源部と、該光源部からの照明光束を被測定者の両眼の眼底に照射する照射光学系と、照明光束が照射された被測定者の両眼の眼底からの反射光束の一部を遮光し、測定対象眼の瞳と略共役位置でその眼屈折力に応じて光量分布に変化が生じる様に、その光路内に配置された遮光部を含む受光光学系と、測定対象眼の瞳と略共役位置に配置され、前記受光光学系からの受光光束を受光する受光部と、該受光部の受光信号を記憶する記憶部と、測定者の操作に応じて、視標を被測定者に第１視標位置から、これと異なる第２視標位置迄視標呈示位置を変化させて呈示する視標系と、該視標系により視標位置の変化前及び変化後に得られた前記受光部の受光信号に基づき、視標位置変化の前後の測定対象眼の瞳孔間距離、眼屈折力及び瞳孔径を求める制御演算部と、前記視標系による視標の動きと関連させ、前記受光部の前眼部信号と、前記演算制御部による演算結果を記憶する記憶部と、該記憶部に記憶された前眼部信号及び前記演算結果に基づき前記視標系による視標の動きと関連させて、前記受光部の前眼部と前記制御演算部による演算結果を表示する表示部とを具備し、該表示部は視標系による視標の動きと関連させ、前記受光部での測定対象眼の瞳の動きが一連に判別可能に、瞳の像を並べ表示する様構成したことを特徴とする眼科測定装置。
【請求項５】
瞳の像を一部重ね、又は色彩を変え表示する請求項３又は請求項４の眼科測定装置。
【請求項６】
前記表示部は視標系の動きを視覚的に判別可能に表示する様構成される請求項１又は請求項４の眼科測定装置。
【発明の詳細な説明】
【０００１】
【発明の属する技術分野】
本発明は眼科測定装置、特に自然視の状態の測定対象眼の経時的な変化、或は測定対象眼に異なる位置の視標を呈示した場合の測定対象眼の瞳孔間距離、眼屈折力、瞳孔径のデータ変化をリアルタイムに測定し、表示し、更に測定後に再表示を可能とした眼科測定装置に関するものである。
【０００２】
【従来の技術】
従来、特に視標の位置を変化させた際の、変化の前後の眼屈折力、瞳孔間距離及び瞳孔径のデータを連続的に得、前眼部の変化と同期して表示する装置は提供されていなかった。
【０００３】
【発明が解決しようとする課題】
近年、視標の位置を変化させた場合の、変化の前後に於ける眼屈折力、瞳孔間距離、瞳孔径のデータ変化を連続的に而もリアルタイムに測定したいという要望がある。
【０００４】
本出願人は、特願平１０−５４３０５号に於いて、視標の位置を変化させた際の変化前後の眼屈折力瞳孔間距離及び瞳孔径のデータを得ることに適した眼科測定装置を具体化している。
【０００５】
然し、前記出願に係る眼科測定装置では、特に視標位置を変化させた際の、屈折力、瞳孔間距離及び瞳孔径のデータを得て、前眼部の変化と同期して表示していなかった。この為、前眼部について連続的に而もリアルタイムに測定したいという要望を満足するものではなかった。
【０００６】
本発明は斯かる実情に鑑み、前記要望に応える眼科測定装置を提供するものである。
【０００７】
【課題を解決するための手段】
本発明は、被測定者の両眼の眼底を照明する照明光束を発する光源部と、該光源部からの照明光束を被測定者の両眼の眼底に照射する照射光学系と、照明光束が照射された被測定者の両眼の眼底からの反射光束の一部を遮光し、測定対象眼の瞳と略共役位置でその眼屈折力に応じて光量分布に変化が生じる様に、その光路内に配置された遮光部を含む受光光学系と、測定対象眼の瞳と略共役位置に配置され、該受光光学系からの受光光束を受光する受光部と、該受光部の受光信号を記憶する記憶部と、前記受光部の受光信号に基づき測定対象眼の瞳孔間距離、眼屈折力及び瞳孔径の内少なくとも１つを求める制御演算部と、測定期間中の測定対象眼の前眼部像を表示すると共に測定期間中の測定結果である前記測定対象眼の瞳孔距離、屈折力、瞳孔径のデータをリアルタイムに経時的に表示する表示部とを具備する眼科測定装置に係り、又測定者の操作に応じて、視標を被測定者に第１視標位置から、これと異なる第２視標位置迄視標呈示位置を変化させて呈示する視標系とを更に具備し、前記制御演算部が、該視標系により視標位置の変化前及び変化後に得られた前記受光部の受光信号に基づき、視標位置の前後の測定対象眼の瞳孔間距離、眼屈折力及び瞳孔径の内少なくとも１つを求める眼科測定装置に係り、又前記受光部からの前眼部信号を記憶する記憶部を有し、前記制御演算部で演算処理に必要な時間だけ遅延させて測定対象眼の前眼部像を上記表示部に表示させ、前記視標位置が変化した状態での前眼部像とその測定結果とがリアルタイムで表示される様に構成した眼科測定装置に係り、又被測定者の両眼の眼底を照明する照明光束を発する光源部と、該光源部からの照明光束を被測定者の両眼の眼底に照射する照射光学系と、照明光束が照射された被測定者の両眼の眼底からの反射光束の一部を遮光し、測定対象眼の瞳と略共役位置でその眼屈折力に応じて光量分布に変化が生じる様に、その光路内に配置された遮光部を含む受光光学系と、測定対象眼の瞳と略共役位置に配置され、該受光光学系からの受光光束を受光する受光部と、該受光部の受光信号を記憶する記憶部と、測定者の操作に応じて、視標を被測定者に第１視標位置から、これと異なる第２視標位置迄視標呈示位置を変化させて呈示する視標系と、該視標系により視標位置の変化前及び変化後に得られた前記受光部の受光信号に基づき、視標位置変化の前後の測定対象眼の瞳孔間距離、眼屈折力及び瞳孔径を求める制御演算部と、前記視標系による視標の動きと関連させ、前記受光部の前眼部信号と、前記演算制御部による演算結果を記憶する記憶部と、該記憶部に記憶された前眼部信号及び前記演算結果に基づき前記視標系による視標の動きと関連させて、該受光部の前眼部と前記制御演算部による演算結果を表示する表示部とを具備する眼科測定装置に係り、又前記表示部は視標系による視標の動きと関連させ、前記受光部での測定対象眼の瞳の動きが一連に判別可能に、瞳の像を並べ表示する様構成した眼科測定装置に係り、又瞳の像を一部重ね、又は色彩を変え表示する眼科測定装置に係り、更に又前記表示部は視標系の動きを視覚的に判別可能に表示する様構成される眼科測定装置に係るものである。
【０００８】
【発明の実施の形態】
以下、図面を参照しつつ本発明の実施の形態を説明する。
【０００９】
図１、図２に於いて第１の実施の形態について説明する。
【００１０】
図１中、１５は赤外光を用いる測定光学系であり、３１は可視光を用いる視標系である。
【００１１】
測定光学系１５の光軸と、視標系３１の光軸とは被測定者に対向して配設されるダイクロイックミラー３２により分割され、該ダイクロイックミラー３２の透過光軸３７上に前記視標系３１が配設され、前記ダイクロイックミラー３２の反射光軸３８上に前記測定光学系１５が配設されている。
【００１２】
前記透過光軸３７は更にハーフミラー３４により分割され、該ハーフミラー３４の透過光軸上に遠距離用の第１固視標３５が配設され、前記ハーフミラー３４の反射光軸上には近距離用の第２固視標３６が配設されている。前記第１固視標３５、第２固視標３６は図示しないがそれぞれ可視域の光束を発する固視標照明源を具備し、該固視標照明源は択一的に点灯する様になっている。
【００１３】
前記測定光学系１５を図２に於いて説明する。１は光源像を測定対象眼３の眼底７に投影する為の照射光学系であり、２は眼底７により反射された反射光束１０を受光する為の受光光学系であり、照射光学系１及び受光光学系２は測定対象眼３に対向して配置される。
【００１４】
前記照射光学系１は、赤外域の照明光束１１を発する光源４、該照明光束１１を前記測定対象眼３に向けて反射させる為のハーフミラー５、ミラー３３から成り、前記照射光学系１は前記光源４からの照明光束１１を瞳孔６を通して前記眼底７上に光源４の像を形成する様に投影するもので、前記測定対象眼３の眼屈折力が基準ディオプター値（基準眼屈折力）の場合に前記眼底７上に光源４の像が合焦される様に設定されている。
【００１５】
前記受光光学系２は、測定対象眼３に対向して配置した遮光部材１２、結像レンズ８及び受光素子９から成り、眼底７からの反射光束１０はハーフミラー５を透過して受光素子９上に導かれる。該受光素子９は、エリアＣＣＤ、撮像管或はこれらの２以上の集合体であり、受光素子９の受光面９ａは結像レンズ８に関して測定対象眼３の瞳孔６と共役位置に配置される。
【００１６】
前記遮光部材１２はエッヂ部を有し、エッヂ部の稜線が前記受光光学系２の光軸Ｏと合致し、光軸Ｏを境界として反射光束１０の片側を遮光する様に配置されると共に前記ハーフミラー５に関し光源４と共役な位置となる様設けられており、測定対象眼３の眼屈折力が基準ディオプター値の場合に眼底７の像が遮光部材１２上に合焦する様に設定されている。
【００１７】
又、図中１３は演算器であり、該演算器１３には前記受光素子９及び前記第１固視標３５、第２固視標３６が接続されている。
【００１８】
而して、該演算器１３は前記第１固視標３５、第２固視標３６の点滅を制御すると共に受光素子９の受光状態、光量分布よりディオプター値、瞳孔径及び瞳孔間距離を演算し、その結果を表示器１４に出力する様になっている。
【００１９】
眼屈折力の測定は、被測定者に視標系３１の第１固視標３５又は第２固視標３６を視準させた状態で行われる。
【００２０】
以下、前記構成の眼科測定装置に於ける眼屈折力、瞳孔径、瞳孔間距離の３要素についての測定原理について説明する。
【００２１】
図３（Ａ）に示す様に、測定対象眼３のディオプター値が選択された１つの基準ディオプター値に比べて負のディオプター値の場合には、光源４の像は眼底７の前方で結像され、この光束により照明された眼底７上の内、光軸上の１点で反射された反射光束１０を考えると、該反射光束１０は遮光部材１２の前方、即ち測定対象眼３側で集光され、結像レンズ８により受光素子９上に投影される光束の上半分（斜線部分）が遮光部材１２により遮光される。
【００２２】
一方、図３（Ｂ）に示す様に、測定対象眼のディオプター値が基準ディオプター値の場合には、反射光束１０は遮光部材１２上に集光されるので、反射光束１０は遮光部材１２によって遮られない。
【００２３】
又、図３（Ｃ）に示す様に、測定対象眼３のディオプター値が基準ディオプター値より正の場合には、光源４の像は眼底７の後方で結像する様に投影され、前述と同様に眼底７で反射された反射光束１０は遮光部材１２の後方、即ち受光素子９側で集光され、受光素子９上に投影される反射光束１０は図３（Ａ）とは逆の部分の光束（図中では上半分）が遮光される。
【００２４】
而して、受光面９ａに投影される光束は基準ディオプター値に対して測定対象眼３のディオプター値の大小、正負によって光量分布状態が変化し、この光量分布状態を基にディオプター値が求められる。
【００２５】
受光素子９はこの受光面９ａに形成される光束の光量分布を検出する為のものであり、前記演算器１３は受光素子９からの信号を基に、受光面９ａ上に形成される光束の光量分布を検出し、基準となるディオプター値に対し測定対象眼３の眼屈折力が正か負かを判断すると共にその絶対値を演算し、演算結果を表示器１４に出力し、該表示器１４は求められた結果を表示する。
【００２６】
尚、前記実施の形態では光束分離手段としてハーフミラーを使用したが、ビームスプリッター、偏光プリズム等種々の光束分離手段を使用可能なことは勿論である。
【００２７】
又、図４（Ａ）〜（Ｅ）に於いて、受光面９ａに形成される光束の光量分布状態を説明する。
【００２８】
尚、図４（Ａ）〜（Ｅ）に於いて説明を簡略化する為、光源４の光軸と受光光学系の光軸とを合致させ且遮光部材１２と結像レンズ８とを一致させている。この為、光源４と結像レンズ８とは同一位置で重ね合わせて示しており、遮光部材１２は省略して示している。
【００２９】
図４（Ａ）〜（Ｅ）は測定対象眼の眼屈折力Ｄが基準眼屈折力Ｄ0 に対し負の場合を示しており、以下の説明では眼底７からの反射光束は全て結像レンズ８によって受光面９ａ上に投影されるものとする。光源４と測定対象眼瞳孔６との距離をｌに設定し、この光源の像が眼底７に合焦する測定対象眼の眼屈折力を基準眼屈折力Ｄ0 とすると下記数式１である。
【００３０】
【数式１】
Ｄ0 ＝−１０００／ｌ
【００３１】
図４（Ａ）は測定対象眼の眼屈折力がＤ（＜Ｄ0 ）の場合の、光軸に対し直角方向にＬの長さを有するスリット状の光源４の軸上の一点Ｓ0 からの投影光束を示すもので、点Ｓ0 の像は一旦、Ｓ0 ′に結像され、測定対象眼眼底７には、ぼけた像として投影される。Ｄ0 −Ｄが大きくなるに従い投影される領域７ａは広くなる。
【００３２】
図４（Ｂ）は受光光学系２、及び、測定対象眼眼底７からの反射光束の状態を示すものである。
【００３３】
図４（Ｂ）に示す様に、測定対象眼眼底７上の投影領域の端部の点Ｉ-nからの光束を考えると、この点の像Ｉ-n′は測定対象眼瞳孔６からｌ′の距離の位置に結像され、この光束は結像レンズ８を介して測定対象眼瞳孔６と共役位置に配置した受光素子９上に投影される。尚、このｌ′と測定対象眼の眼屈折力Ｄの関係式は下記の通りである。
【００３４】
【数式２】
Ｄ＝―１０００／ｌ′
【００３５】
一方、この眼底７上の一点から発した光束のエッヂ上での広がり幅Δは、測定対象眼の瞳孔径をｕとすると、図４（Ｂ）から明らかな様に、数式３で示される。
【００３６】
【数式３】
Δ＝ｕ×（ｌ−ｌ′）／ｌ′
であり、数式１、数式２より下記数式４となる。
【００３７】
【数式４】
Δ＝ｕ×（ｌ−ｌ′）／ｌ′
＝ｕ｛（−１０００／Ｄ0 ）−(−１０００／Ｄ)｝／(−１０００／Ｄ)
＝ｕ（Ｄ／Ｄ0 −１）
＝ｕ×（ΔＤ／Ｄ0 ）
ここでΔＤ＝Ｄ−Ｄ0 とする。
【００３８】
測定対象眼３の眼屈折力Ｄと基準眼屈折力Ｄ0 との差が大になるに従い遮光部材１２上の広がりは大きくなる。
【００３９】
次に、受光素子９上での光束の広がりについて述べる。受光素子９は、測定対象眼３の眼屈折力に関係なく常に結像レンズ８に関して測定対象眼瞳孔６と共役に配置されており、測定対象眼瞳孔６の径をｕ、結像レンズ８の倍率をβとすると、受光素子９上ではβｕの径の領域（測定対象眼の眼屈折力に影響を受けない）に光束が投影される。
【００４０】
又、光軸に対して前記Ｉ-nと対称な点Ｉn からの光束も同様に測定対象眼瞳孔６からｌ′の位置に像Ｉn を結像した後、受光素子９上の同じ領域βｕに投影される。光源４を点光源として、遮光部材１２が無いものとした時、これら眼底７からの各点Ｉ-n、…Ｉ0、…Ｉn、からの光束の積分が受光素子９上の光量分布を決めるものである。
【００４１】
ここで、受光素子９上での光量分布について考察する為、受光素子９上の光束投影位置の端部位置Ｐ-n、即ち、光軸を中心とした座標位置−βｕ／２に入射する光束を考えると、この位置に入射する光束は図４（Ｃ）での斜線Ａの範囲の光束に限られることとなる。又、同様に、光軸に対して、前記のＰ-n位置と対称な位置Ｐn に入射する光束を考えると斜線Ａ′の範囲の光束に限られることになる。してみると、測定対象眼瞳孔６からｌの距離（光源４と共役位置）の位置に光軸の一方の光束Ａ′を遮断するエッヂ状の遮光部材１２を配置すると受光素子９上のＰ-nの位置に入射する光束は遮光部材１２により遮断されず、このＰ-nの位置から上方の位置に行くに従って光束は徐々に遮光され、中心Ｐ0 位置で光束の半分が遮光され、Ｐn の位置になると全ての光束が遮断されることとなる。従って、エッヂ状の遮光部材１２により受光素子９上には上方に行くにしたがって暗くなり、Ｐn の点で光量が０となる一定傾斜の光量分布となる。
【００４２】
以上の図４（Ａ）〜（Ｃ）では、光源４の光軸上の一点から発する光束のみを示したが、光源４の端部の一点Ｓ-n（光源の大きさをＬとする−Ｌ／２の座標位置の点）からの光束を考えると図４（Ｄ）に示す様になる。この点Ｓ-nからの光束は、図４（Ｄ）に示す測定対象眼眼底７上のＩ-n点からＩn 点の領域に投影され、このＩ-n点、Ｉn 点からの反射光は、前述と同様に測定対象眼瞳孔６からｌ′の距離の位置でＩ-n′、Ｉn ′の像を結像した後、受光素子９上のβｕの径の領域に投影されるものである。ここで、光源４の端部の点Ｓ-nから発する光束の内、受光素子９上の光束投影の端部位置Ｐ-nに入射する光束は図４（Ｄ）のＢの斜線領域の光束となるものである。
【００４３】
又、前記Ｓ-nの点と対称な光源４の一点Ｓn からの光束を考え、その内受光素子９上のＰ-nの点に入射する光束を考えると図４（Ｅ）のＣの斜線領域の光束となる。この様に、光源４がある大きさを有するものとして考えた場合、受光素子９上の一点の光量は、光源４の各点からの光束の総和として考えなければならない。
【００４４】
図５（Ａ）は、上記の考え方に基づき、受光素子９上のＰ-nの位置に入射する各光束を重ね合わせて示したものであり、光源４上のＳ-nの位置から発する光束の内Ｐ-nの位置に入射する光束はＢの領域であり（図４（Ｄ）参照）、光源４上での位置が上方に行くに従ってその光束も上方に移動し、軸上の光源位置Ｓ0 ではＡの領域の光束となり（図４（Ｃ）参照）、光源４上でのＳn の位置ではＣの領域の光束となる（図４（Ｅ）参照）。従って、受光素子９上のＰ-nの点での光量は、これらの光束の総和として考えられる。
【００４５】
ここで、測定対象眼瞳孔６からｌの距離の位置に遮光部材１２を配置した時の受光素子９上の点Ｐ-nの光量を示す模式図を図５（Ｂ）に示す。
【００４６】
図５（Ｂ）は光源４上の位置が変化するに従って遮光部材１２により光束がどの様に遮光されるかを示すものである。図５（Ｂ）の横軸は光源４上の座標位置、縦軸は光量を示すものであり、光源４上での各点からの光束を考えると、座標位置の−Ｌ／２（Ｌは光源の大きさ）点から０点迄の光束は遮光部材１２により遮光されず、座標位置の０点を過ぎると徐々に遮光され、Δ（前述の光束の広がり）の位置で全ての光束が遮断される事になるものである。
【００４７】
ここで遮光されない場合の光源上の各点からの光量をｋとして光源上での各点からの光量の寄与を示したものが図５（Ｂ）であり、斜線部の面積が受光素子上のＰ-nの点の光量値に対応するものである。この面積値Ｔは下記数式５の様になる。
【００４８】
【数式５】
Ｔ＝１／２ｋ（Ｌ＋Δ）
【００４９】
同様にして、受光素子９上での他の点についても考察する。図６（Ａ）は受光素子９上での中心点Ｐ0 に入射する光束を図５（Ａ）と同様に示したものであり、光源４上のＳ-nの点からの光束の内Ｐ0 の点に入射する光束はＢ0 の斜線領域、光源４上の中心Ｓ0 の点からはＡ0 の斜線領域、光源４上のＳn の点からの光束はＣ0 の斜線領域の光束となるものであり、受光素子９の中心Ｐ0 に入射する光量は図６（Ｂ）の斜線領域の面積Ｔ0 に対応することになる。即ち、光源４の各点からの受光素子９の中心点Ｐ0 に入射する光束を考えると、光源４上の座標位置−Ｌ／２の位置から、−Δ／２の位置迄は光束は遮光されず、−Δ／２位置を過ぎると徐々に光束が遮られΔ／２の位置で全ての光束が遮断されることになり、この面積値Ｔ0 を前述と同様に計算すると下記数式６に示される値になる。
【００５０】
【数式６】
Ｔ0 ＝ｋＬ／２
【００５１】
同様にして、受光素子９上での点Ｐn に入射する光束の状態、及びこの点での光量値を図７（Ａ）、図７（Ｂ）に示す。図７（Ａ）に於いて、光源４上のＳ-nの点からの光束の内Ｐn の点に入射する光束はＢ”の斜線領域、光源４上の中心Ｓ0 の点からはＡ”の斜線領域、光源４上のＳn の点からの光束はＣ”の斜線領域の光束として示す。この場合には、図７（Ｂ）に示す様に、光源４の各点から受光素子９のＰn の点に入射する光束を考えると、光源上の−Ｌ／２の位置から−Δの位置迄は光束は遮光されず、−Δ位置を過ぎると徐々に光束が遮られ、０の位置で全ての光束が遮断されることになり、この面積値Ｔ0 ′を計算すると下記数式７に示される値になる。
【００５２】
【数式７】
Ｔ0 ′＝ｋ（Ｌ−Δ）／２
【００５３】
これらの数式５、数式６、数式７の結果から分かる様に、受光素子９上の光量値は下方から上方に行くに従って、光量値は徐々に低くなるものであり、その受光素子９上での光量分布を図示すると図８に示す様に直線的に変化する。
【００５４】
前述の説明に於いては、眼底の一点から発する光束を考えた場合の遮光部材１２上での広がり幅Δが光源の大きさＬの１／２より小さな場合を想定して説明を行ったものである。
【００５５】
次に、図３（Ｂ）で示す測定対象眼３の眼屈折力が基準値である場合、図３（Ｃ）で示す測定対象眼３の眼屈折力が基準値より正の場合も、前記したと同様に受光素子９上の光量分布を考察することができ、その場合測定対象眼３の眼屈折力が基準値である場合は、図９に示す如く、均一分布、測定対象眼３の眼屈折力が正の場合は図１０に示す様に図８で示したものと逆な分布状態となる。
【００５６】
前記した光量分布の傾斜がディオプター値（眼屈折力）を、そして傾斜の方向がディオプター値の正負を表わす。以下図１１を参照して説明する。
【００５７】
光量分布の傾きをΔｆ／ｆ0 と定義すると、
【数式８】
Δｆ／ｆ0 ＝（ｋΔ／２）／（ｋＬ／２）＝Δ／Ｌ
【００５８】
前記した光束の広がりΔ、即ちボケ量Δは、前記数式４より下記数式９となる。
【００５９】
【数式９】
Δ＝ｕ×（ｌ−ｌ′）／ｌ′＝ｕ×ΔＤ／Ｄ0
【００６０】
よって数式８より下記数式１０となる。
【００６１】
【数式１０】
Δｆ／ｆ0 ＝ｕΔＤ／ＬＤ0
∴  ΔＤ＝（ＬＤ0 ／ｕ）（Δｆ／ｆ0 ）
ΔＤ＝Ｋ（Δｆ／ｆ0 ）、（Ｋ＝ＬＤ0 ／ｕ）
【００６２】
而して、数式１０は基準ディオプター値Ｄ0 に対する測定対象眼のディオプター値の偏差ΔＤとΔｆ／ｆ0 が比例していることを示している。従って、光量分布よりΔｆ／ｆ0 を求めることにより測定対象眼のディオプター値の偏差Δを求めることができ、更に下記数式１１によりディオプター値Ｄを求めることができる。
【００６３】
【数式１１】
Ｄ＝Ｄ0 ＋ΔＤ
【００６４】
上述の如く、眼底から反射される光束の光量分布から測定対象眼のディオプター値を求めることができる。尚、上述した光量分布は模式的に表わしており、実際には図１２（Ａ）で示す眼球の各部分に対応した光量の変化（図１２（Ｂ）参照、図１２（Ｂ）で示す光量分布は基準ディオプター値での光量分布を示している）、即ち角膜の反射による輝点２１での光量の突出ρであるとか、瞳孔６を外れた虹彩２０部分での光量の落込σ等がある。更に、測定時のまばたき、或はまつ毛、水晶体の濁り等測定結果に影響を及ぼす種々の要因がある。
【００６５】
従って、以下に更に具体的に説明する。
【００６６】
図１４中、１５は前記した眼科測定装置の測定光学系、９は受光素子、１３は演算器、１４は表示器、１６は受光素子９の映像及び演算処理部の結果を記憶するフレームメモリ、１７は演算処理部、１８はフレームメモリ１６、演算処理部１７の同期指令、前記第１固視標３５、第２固視標３６の点灯の切替え、前記受光素子９からのデータの取込みの制御等のシーケンス指令を行う制御部、１９は測定開始スイッチである。
【００６７】
以下、所定の状態、例えば図１中の第１固視標３５を点灯し、被測定者に第１固視標３５を視準させた状態での測定対象眼３の測定作用について図１５〜図２４を参照して説明する。
【００６８】
先ず、検者は表示器１４上に表示された測定対象眼像を観察する。図１６（Ａ）は、表示器１４上の画面を示すもので、表示器１４上には所定エリアを示す基準視標２２R ，２２L に重合わせて測定対象眼像が表示される。この測定対象眼の両眼像の瞳の中心には光源４からの光束の内測定対象眼角膜により反射された光束により形成される輝点像が形成されている。検者は、この基準視標２２R ，２２L の中に両眼像が入り概略の位置合わせ調整が完了していること、及び被測定者がまっすぐ視準していることを確認した後測定開始スイッチ１９をＯＮする。この測定開始スイッチ１９のＯＮにより、受光素子９からの映像信号はフレームメモリ１６に取込み記憶される。このフレームメモリ１６には測定開始スイッチ１９の１回の操作により、所定時間の間隔で自動的に且連続的に複数枚の映像信号が取込時間と関連付けられて記憶される。
【００６９】
この複数枚の映像信号を取込む時間間隔は、測定対象眼の眼屈折力、瞳孔径及び瞳孔間距離の要素の変化を検出できる程度の時間を設定する。この時間間隔を、例えば１／１５秒とすれば、１秒間に１５フレームを取込むことができる。取込む時間間隔は、１秒間に数フレーム以上を取込む様に設定することが望ましい。
【００７０】
演算処理部１７は、このフレームメモリ１６に記憶された映像に基づき以下述べるステップにより演算処理を行うものである。該演算処理部１７の演算は記憶された映像を取込んだ後、右眼について測定し、次に左眼についての測定を行う。以下、図１５を参照して説明する。
【００７１】
先ず、角膜反射によって生ずる輝点像の位置を検出する（Ｓ３）。
【００７２】
フレームメモリ１６に記憶された映像は両眼が所定のエリア（前述した基準視標２２R ，２２L のエリアに対応している）、例えば右眼が（Ｘ1 ；Ｙ1 ）に含まれる様に撮像されている。図１６（Ｂ）はこのエリアを拡大したものである。
【００７３】
前記フレームメモリ１６の（Ｘ1 ；Ｙ1 ）エリアの範囲内に於いて受光素子９の各画素で光量を比較し最も光量値が高い点２１p を求める。この点２１p が輝点像の中で最も光量が明るい点である。図１６（Ｃ）はこの輝点の周辺領域を拡大した図である。次にこの最も明るい点２１p を中心に所定のエリア（Ｊx ；Ｊy ）を設定する。このエリア内で各画像の光量値を比較し、所定レベル以上の画像の点を抽出し、これらの点の集合によって形成される輝点像の図形の重心（以下輝点重心と称する）位置２１G を算出する。
【００７４】
次にこの輝点重心位置２１G を中心として輝点消去の為の所定エリア（後述する）（Ｘs ；Ｙs ）が設定される。角膜反射により形成される輝点は中心が最も明るいとは限らない為、単に最も明るい点２１p を中心として前記輝点消去の為の所定エリアを定めると、このエリアから輝点像がはみでてしまう虞れがあるが、前述した様に輝点重心位置２１G を中心とした場合にはこの虞れがない。
【００７５】
右眼について輝点重心が求められたが、以下輝点重心の位置に基づき右眼の輝点の除去を行う（Ｓ３）。
【００７６】
輝点重心が求められると、前述した様に、図１８（Ｂ）の如く該輝点重心を中心とする輝点近傍の検知エリア（Ｘs ；Ｙs ）が設定される。エッヂと平行なＸ方向の走査線で検知エリア（Ｘs ；Ｙs ）の境界線と交差する点ａ点、ｂ点の光量を求め、このａ点、ｂ点を直線で近似する。このａ点、ｂ点を結んだ直線が前記検知エリア（Ｘs ；Ｙs ）でのＸ方向の走査線に於ける輝点の影響を除去した光量分布を示すものである（図１８（Ｃ）参照、尚図中δで示す光量分布は瞳孔部分をＸ方向に走査して得られる光量分布曲線を示す）。
【００７７】
而してａ点、ｂ点間の近似直線の式は数式１２となる。
【００７８】
【数式１２】
Ｌ＝｛（Ｌb −Ｌa ）／Ｘs ｝×Ｘ＋Ｌa
【００７９】
斯かる走査を検知エリア（Ｘs ；Ｙs ）全域に亘って行い、検知エリア（Ｘs ；Ｙs  ）について輝点の影響を除去した修正値を求め記憶しておく。
【００８０】
次にエッヂと直角なＹ方向の走査線で検知エリア（Ｘs ；Ｙs ）の境界線と交差する点ｃ点、ｄ点の光量を求め、このｃ点、ｄ点を直線で近似する。
【００８１】
この近似した直線は、数式１２′となる。
【００８２】
【数式１２′】
Ｌ′＝｛（Ｌd −Ｌc ）／Ｙs ｝×Ｙ＋Ｌc
【００８３】
斯かる走査を検知エリア（Ｘs ；Ｙs ）全域に亘って行い、Ｙ方向の走査に関しても同様に輝点の影響を除去した修正値を求め記憶する。
【００８４】
更に、Ｘ方向走査修正値とＹ方向走査修正値とを同一の座標についての画素の光量値を逐一比較し、比較の結果で大なる方の光量値をその座標での最終値として記憶する。斯かる比較によって得られたものが輝点を除去した検知エリア（Ｘs ；Ｙs ）の画像信号となる。前記フレームメモリ１６の検知エリア（Ｘs ；Ｙs ）部分についての記憶値を前記比較し得られた修正値に置換し、この修正値に置換したものを新たに修正映像としてフレームメモリ１６に記憶する。又、輝点を除去した修正映像は修正前の映像と共に表示器１４に表示される（図１９参照）。
【００８５】
ここで、Ｘ方向走査修正値とＹ方向走査修正値との比較で、光量の大なる方を選択したのは、測定に於いて測定誤差としての要因、例えばまつ毛の影響、水晶体の濁り等は光量を減ずる方向に作用する。従って、光量の大なる方がより真値に近いという理由による。
【００８６】
次に、検知エリアを輝点重心を中心に瞳を充分に含む（Ｘ2 ；Ｙ2 ）に拡大し（図２０（Ｂ））、前記修正映像について該検知エリア（Ｘ2 ；Ｙ2 ）をＸ方向（前記エッヂと平行な方向）、又はＹ方向（前記エッヂと直角な方向）に走査して、走査した線上での光量分布を求める。この光量分布より瞳孔径ｕを求める（Ｓ４）。
【００８７】
図１２（Ａ）（Ｂ）（Ｃ）にも示した様に、瞳孔６部分を外れ虹彩２０部分になると光量が急激に低下する（図１８（Ｃ））。従って、光量分布γの変化率を求めると瞳孔６と虹彩部分２０の境界点ｍ、ｎで値が突出する。この境界点ｍ、ｎの座標位置を前記フレームメモリ１６から読取り、演算処理部１７で演算すれば瞳孔径ｕを求めることができる。
【００８８】
次に、まばたきをすると図１３（Ａ）に示す様に、まぶたが瞳孔６に掛かり、瞳孔６のまぶたが掛かった上部分の光量が低下する。従って、光量分布ではまぶたの境界位置ｍ′が瞳孔６の境界位置である様な様相を呈する。この為、図１３（Ａ）の状態で瞳孔径ｕを演算すると実際の値より小さくなる。
【００８９】
図１２（Ｂ）、図１３（Ｂ）は鉛直方向の走査線で見た光量分布であるが、水平方向の走査線でも同様な光量分布が得られる。従って、この水平方向の光量分布より求めた瞳孔径ｕは、まばたきの影響を受けない値である。演算処理部１７で鉛直方向の瞳孔径ｕV と水平方向の瞳孔径ｕH を求め、更に鉛直方向の瞳孔径ｕV と水平方向の瞳孔径ｕH との比（ｕV ／ｕH ）を求め、この比が所定の値（理想的には１）より小さい場合はまばたきがあったと判定する。
【００９０】
又、輝点重心２１G を利用して、まばたきの検出をすることもできる。この輝点重心２１G は瞳孔６の中心にあるので、輝点重心位置ρと瞳孔６の境界位置ｍ、ｎとの距離を監視することでまばたきを判定できる。
【００９１】
前記演算処理部１７で線分ρｍと線分ρｎを演算し両者の比を求め、この比を監視する。
【００９２】
即ち、まばたきのない場合は線分ρｍ／線分ρｎ＝１であり、まばたきのあった場合は線分ρｍ′／線分ρｎ＜１となる。尚、まばたきの検出は光量分布曲線について境界点ｍ、ｍ′、ｎ迄を積分し、その積分値を前述したと同様に比較しても可能である。
【００９３】
本装置では前記した様に光量分布の傾きより、眼屈折力を求めるが、まばたきがあったと判定された場合は次のステップに進むことなく、前記フレームメモリ１６に取込まれている他の映像信号について、今迄述べた処理が繰返し行われ、まばたきがないと判定された場合に以下に述べる眼屈折力の演算処理が行われる。
【００９４】
前記修正映像について検知エリア（Ｘ2 ；Ｙ2 ）をＹ方向（前記エッヂと直角な方向）に走査して、走査した線上での光量分布を求める。光量分布を求める走査線は前記輝点重心を通過する走査線と該走査線−Ｘ側、＋Ｘ側にずれた各複数本とする（図２１（Ａ））。
【００９５】
求められた光量分布について、各走査線のＹ方向の同一座標の各画素の光量の平均を算出し、平均値を新に輝点重心を通る走査線の光量値として置換し記憶する（図２１（Ｂ）（Ｃ）参照）。この置換して得られた光量分布を図２２に示す。この平均化した光量分布を前記表示器１４に両眼の映像と共に表示する（図１９参照）。
【００９６】
この平均化光量分布の表示により、検者は被検眼の眼屈折力を目視により判定できる。又、図１９で示す光量分布より平均化し、図１１で示される直線的な測定用光量分布に修正する。図示される様に瞳孔の境界近傍は曲線がだれているが、これは虹彩エッヂで光が散乱する為だと考えられる。従って、修正するには、瞳孔の境界近傍α分については、除去して、直線的な測定用光量分布を求める。この測定用光量分布を求めるには、例えば最小２乗近似法を用いる。
【００９７】
この近似法で求めた直線が図２２中Ｚ0 で示すものであり、この直線Ｚ0 によりディオプター値算出に必要なΔｆ／ｆ0 を求めることができる。ところが、前記平均化光量分布にはまつ毛の影響、水晶体の濁り等でεの様な落込みがある。従って、より精度の高い測定用光量分布を求めるにはこの落込みεの影響を少なくする必要がある。
【００９８】
その一つの方法としては、図２３に示す如く、直線Ｚ0 に対しε′だけレベルの低い直線Ｚ0 ′を基準とし、該直線Ｚ0′ より更にレベルの低い値（図２３中ε′′で示される範囲のもの）は近似する際のデータとして使用しないで、更に近似して得られた直線Ｚを測定用光量分布とする。
【００９９】
又、他の方法としては、図２４に示す様に直線Ｚ0 よりレベルの低い範囲（図２４中ε′′′で示される範囲）については直線Ｚ0 の値に置換え、平均化光量分布を修正し、この修正した平均化光量分布で最小２乗法で近似し、更にこの操作を繰返して測定用光量分布を求める。
【０１００】
該測定用光量分布より、前記数式８よりΔｆ／ｆ0 が求められ前記数式９式より測定対象眼のディオプター値の偏差Δ、更に前記数式１１よりディオプター値Ｄを求めることが可能となる。
右眼についての測定が完了すると、左眼についての測定が同様に行われ（Ｓ２′）、左眼についての測定が完了すると、両眼の測定結果に基づき、瞳孔間距離ＰＤが求められる（Ｓ８）。
【０１０１】
この瞳孔間距離は前記輝点重心の位置２１G ，２１G′ を素に演算される。即ち、両輝点重心位置２１G ，２１G′ の距離を求めることで瞳孔間距離ＰＤが求められる。更に両輝点重心位置２１G ，２１G′ を結んだ直線の傾きθを求める（図１７参照）。この両輝点の瞳孔間距離ＰＤを求めることで、被測定者の両眼の間隔、又両輝点を結んだ直線の傾きθを求めることで被測定者自体が装置に対して何度傾いているかがそれぞれ検出される。
【０１０２】
両眼についての屈折力、瞳孔径、瞳孔間距離のデータが前記フレームメモリに測定時間と関連付けられて記憶され（Ｓ９）、測定の為の撮影が完了する。
【０１０３】
以上、固視標を特定した場合の眼屈折力、瞳孔径、瞳孔間距離の測定について説明したが、次に、被測定者に視準させる固視標の距離を変えた場合の測定対象眼に関する眼屈折力、瞳孔径、瞳孔間距離の経時的変化の測定について説明する。
【０１０４】
ここでの測定は、検者により測定開始を示す前記測定開始スイッチ１９によるスイッチ操作がされると、前記制御部１８は先ず前記第１固視標３５を点灯し、次に第２固視標３６に切換え、被測定者に呈示される視標位置を変更する。更に、前記制御部１８はスイッチ操作による視標位置変更前後に於いて前記受光素子９から映像信号を取込み、前述した処理により第１所定期間の所定時間間隔毎のデータ及びスイッチ操作による視標位置変更後の第２所定期間の所定時間間隔毎のデータを演算すると共に前記フレームメモリ１６に測定時間と関連付けして記憶する。
【０１０５】
以下前記実施の形態に基づき、第１固視標３５から第２固視標３６に（遠から近に）瞬時に切換えた場合の測定対象眼の眼屈折力、瞳孔間距離、瞳孔径の経時的変化の測定について、図２５により説明する。
【０１０６】
Ｓ１：測定開始時には前記第１固視標３５（第１位置）が点灯されており、被測定者は遠方位置の視標（例えば２ｍ）を視準する。
Ｓ２：受光素子９で受光された受光信号を演算器１３が受取り、フレームメモリ１６に被測定者（被測定者）の両眼を含む前眼部画像データとして記憶する。該前眼部画像データはモニター等の表示器１４で表示される。
Ｓ３：該表示器１４には位置合わせ用のスケール等が同時に表示され、前記表示された前眼部画像を前記スケール等を基準として位置合わせ（アライメント）する。
Ｓ４：このアライメント操作は、正しい位置になる迄繰返される。正しい位置となった時に前記測定開始スイッチ１９からの測定開始信号を受入れ可能となる。
Ｓ５：視標位置変更を意味する測定開始信号の待機状態となり、測定開始信号が入力される。
Ｓ６：前記制御部１８が呈示される視標を第１固視標３５（第１位置）から第２固視標３６（第２位置（例えば０．４ｍ））に切換える。
Ｓ７：測定開始信号が入力されると、前記受光素子９からの前眼部像に相当する受光信号は所定時間間隔で所定時間の間中演算器１３が取込み、取込まれたデータは、測定時間と関連付けられてフレームメモリ１６に記憶する。
Ｓ８：記憶部に記憶された第１視標位置データ及び第２視標位置データに基づいて、視標位置の変化前後の両眼の眼屈折力、瞳孔径及び瞳孔間距離（ＰＤ）を演算し、その測定データが測定時間と関連付けられて記憶される。
Ｓ９：以下の演算結果が表示される。
第１視標位置データ及び第２視標位置データ中の瞳像の光量分布を利用して、両眼の眼屈折力を演算する。
第１視標位置データ及び第２視標位置データ中の瞳像の大きさから左右眼の瞳孔径を演算する。
第１視標位置データ及び第２視標位置データ中の左右の瞳像の重心位置を求め、その間隔から瞳孔間距離（ＰＤ）を演算する。
演算で求められた視標位置の変化前後の両眼の眼屈折力、瞳孔径及び瞳孔間距離（ＰＤ）を表示器１４で表示する。
【０１０７】
視標を第１固視標３５から第２固視標３６に（遠から近に）瞬時に切換えた場合の眼屈折力、瞳孔間距離、瞳孔径の経時的変化の状態を図２６に示している。
【０１０８】
又、視標を第２固視標３６から第１固視標３５に（近から遠に）瞬時に切換えた場合の眼屈折力、瞳孔間距離、瞳孔径の経時的変化の状態を図２７に示している。
【０１０９】
いずれの場合も、視標位置切換えの時点から遅れて測定対象眼の調節機能が開始され、所定の時間を経て最終的な眼屈折力に到達する。
【０１１０】
測定データとしては視標の切換えの態様により、下記の２種類が得られる。
【０１１１】
▲１▼視標切換：遠→近
視標位置変化：２．０ｍ（遠方）から０．４ｍ（近方）に変化させると、瞳孔間距離は短くなり、瞳孔径は小さくなり、眼屈折力は強い方向に変化する。
▲２▼視標切換：近→遠
視標位置変化：０．４ｍ（近方）から２．０ｍ（遠方）に変化されると、瞳孔間距離は長くなり、瞳孔径は大きくなり、眼屈折力は弱い方向に変化する。
【０１１２】
この様にして得られフレームメモリ１６に記憶された前眼部画像データ及び測定データは、後述する図３４に示す処理によって再度経時的に表示され、測定の際の状況が再現される。
【０１１３】
図２８は第２の実施の形態を示すものであり、該実施の形態では視標系３１が移動可能な可動固視標３９を具備し、該可動固視標３９は図示しない駆動部により前記透過光軸３７上を移動する様になっており、該駆動部は前記制御部１８により制御される。該実施の形態では固視標の位置を連続的に変化させた場合の測定対象眼の眼屈折力、瞳孔間距離、瞳孔径の経時的変化を測定できる。
【０１１４】
検者により測定開始を示す前記測定開始スイッチ１９によるスイッチ操作がされると、前記制御部１８は前記可動固視標３９を点灯し、スイッチ操作により可動固視標３９の位置変更するが、視標位置変更前後、及び移動中に於いて前記受光素子９から映像信号をそれぞれ逐次取込み、前述した処理により前記可動固視標３９の第１所定期間の所定時間間隔毎のデータ及びスイッチ操作後、前記可動固視標３９の移動中、更に視標位置変更後の第２所定期間の所定時間間隔毎のデータを演算すると共に前記フレームメモリ１６に記憶し、各状態での測定データを表示器１４に時間的経緯が分かる様にリアルタイムで表示させる。
【０１１５】
該第２の実施の形態による測定方法の１つを図２９を参照して説明する。
【０１１６】
測定開始
Ｓ１：第１位置、遠方位置（例えば２ｍ）で可動固視標３９を呈示する。
Ｓ２：受光素子９で受光された受光信号を演算器１３が受取りフレームメモリ１６に被測定者（被測定者）の両眼を含む前眼部画像データとして測定時間と関連付けられて記憶する。そして、その前眼部画像データはモニター等の表示器１４で表示される。
Ｓ３：該表示器１４には位置合わせ用のスケール等が同時に表示され、前記表示された前眼部画像を前記スケール等を基準として位置合わせ（アライメント）する。
Ｓ４：このアライメント操作は、正しい位置になる迄繰返され、正しい位置となった時には、Ｓ５に進む。
Ｓ５：視標位置変更を意味する測定開始信号が入力の待機状態となる。前記測定開始スイッチ１９の操作による測定開始信号が入力されるとＳ６に進む。
Ｓ６：画像データの取込みが行われ、図１５で示した様に両眼についての眼屈折力、瞳孔径、瞳孔間距離等測定対象眼についての測定データが演算される。演算された結果は測定時間と関連付けられて前記フレームメモリ１６に記憶されると共に表示器（ＣＲＴ）１４に表示される。
Ｓ７：第１所定期間経過したかが判断される。
第１所定期間が経過していない時には、Ｓ６へ戻り、第１所定期間が経過する迄、前眼部の画像が取込まれ、測定データが演算、記憶、表示される。第１所定期間が経過した時は、Ｓ８へ進む。
Ｓ８：前記制御部１８が呈示される可動固視標３９を第１位置から第２固視標３６（第２位置（例えば０．４ｍ））に移動する。Ｓ９へ進む。
Ｓ９：可動固視標３９の移動中の前眼部の画像が取込まれ、測定データが演算、記憶、表示される。
Ｓ１０：可動固視標３９の移動が完了したかどうかが判断され、完了しない場合はＳ７に戻り、更に可動固視標３９の移動中の前眼部の画像が取込まれ、測定データが演算、記憶、表示される。移動が完了するとＳ１１へは進む。
Ｓ１１：可動固視標３９の移動後の画像データの取込みが行われ、測定データが演算、記憶、表示される。
Ｓ１２：第２所定期間経過したかどうかが判断され、所定期間経過すると測定が完了する。
【０１１７】
測定データとしては視標の移動の態様により、下記の４種類が得られる。
【０１１８】
▲１▼視標切換：遠→近
▲２▼視標切換：近→遠
▲３▼視標移動：遠→近
▲４▼視標移動：近→遠
【０１１９】
可動固視標３９を第１位置から第２位置迄移動させた場合の眼屈折力、瞳孔間距離、瞳孔径の経時的変化の状態を図３１に示している。
【０１２０】
可動固視標３９を第２位置から第１位置迄移動させた場合の眼屈折力、瞳孔間距離、瞳孔径の経時的変化の状態を図３２に示している。
【０１２１】
図３２〜図３４に於いて、上記第２の実施の形態での表示の態様について説明する。
【０１２２】
図３２は表示器（ＣＲＴ）１４の表示画面を示しており、画面には視標位置表示部４１、前眼部表示部４２、測定値表示部４３、眼屈折力表示部４４、ＰＤ表示部４５、瞳孔径表示部４６が表示されている。
【０１２３】
前記視標位置表示部４１は可動固視標３９が現在どこの位置にあるか、又逆３角形の矢印の動きから移動中か停止しているかを示すことができる。前記前眼部表示部４２により検者が前眼部の状態を判別することができる。前記測定値表示部４３には測定中の数値データが経時的に複数表示されると共に最新のデータがリアルタイムで追加表示されて行き、過去のデータとの比較ができる様になっている。又、眼屈折力表示部４４、ＰＤ表示部４５、瞳孔径表示部４６は前記測定値表示部４３で示されるデータがグラフ表示されるものであり、図３０、図３１で示したグラフと対応するものである。
【０１２４】
図３３は表示器（ＣＲＴ）１４の他の表示画面を示しており、画面には第１瞳孔表示部４７、第２瞳孔表示部４８、測定値表示部４９が表示されている。
【０１２５】
前記第１瞳孔表示部４７には測定データと対応した瞳孔像が重合して表示され、重合した各瞳孔像が区別できる様に色彩が変えられている。重合して表示することで、測定中の瞳孔位置の変化が視覚的に判断できる。又、前記第２瞳孔表示部４８には右瞳孔基準位置Ｒ、左瞳孔基準位置Ｌが画面上に線として表示されており、測定データと対応した瞳孔像が前記右瞳孔基準位置Ｒ、左瞳孔基準位置Ｌに重なる様に表示され、而も経時的に位置がずれて表示される。図３３は上から逐次表示されている例である。瞳孔像と前記右瞳孔基準位置Ｒ、左瞳孔基準位置Ｌとを同時に表示することで、基準位置に対する又瞳孔の位置変化が明確になる。
【０１２６】
又、前記測定値表示部４９には測定中の数値データが経時的に複数段表示され、各段は前記第２瞳孔表示部４８に表示されている瞳孔の段と対応している。
【０１２７】
前記表示器１４には測定データをリアルタイムで表示することができるが、測定済のデータは前記フレームメモリ１６に記憶されており、測定済のデータを測定後所望の時間に表示することが可能である。データは測定時間と関連付けられて記録されているので測定済のデータは最終データのみを表示することも、複数の測定データを同時に表示することも、測定時と同様経時的に表示することも可能である。
【０１２８】
図３４は記憶した測定済データを再度経時的に表示する作動を示している。
【０１２９】
表示指令命令が発せられると前記フレームメモリ１６に記憶された前眼部画像データ、測定結果データ、視標位置データが呼出され、各データが時間の経緯に合わせ同期表示される。一連のデータが表示されることで再度表示が完了する。
【０１３０】
図３５は、図３２で示した表示器（ＣＲＴ）１４の表示画面の変形例を示している。図３５中、前眼部表示部４２、測定置表示部４３、眼屈折力表示部４４、ＰＤ表示部４５、瞳孔径表示部４６については図３２と同様であるので説明を省略する。
【０１３１】
本表示画面では、視標位置表示部５０が、眼屈折力表示部４４、ＰＤ表示部４５、瞳孔径表示部４６と同様、視標の位置を経時的に表示する様になっており、図３０、図３１で示したグラフと対応するものである。視標位置表示部５０に於いて横軸は時間、縦軸は測定対象眼と視標迄の距離を示し、図示では視標を近づけた状態を示している。前記視標位置表示部５０により時間の経過に伴う視標位置の変化が分かり、他の眼屈折力表示部４４、ＰＤ表示部４５、瞳孔径表示部４６を同様に経時的に表示することで、視標位置の変化に対応する眼屈折力、ＰＤ、瞳孔径の変化を視覚的に容易に認識することができる。
【０１３２】
尚、上記実施の形態では、測定対象眼が視標を注視した状態での測定について説明したが、視標ではなく、遠方の景色等をみている状態、即ち自然視の状態での測定であってもよいことは勿論である。
【０１３３】
【発明の効果】
以上述べた如く本発明によれば、眼屈折力、瞳孔径、瞳孔間距離の３要素を同時に測定できると共に、視標の位置を変化させた場合の測定対象眼の３要素のいずれか１つ若しくは全ての経時的な変化がリアルタイムで測定でき、更に測定データが経時的にリアルタイムで表示されるので検者は測定中の結果が瞬時に分かると共に再度所望の瞳孔像の状態が視覚的に認識できるという優れた効果を発揮する。
【図面の簡単な説明】
【図１】本発明の実施の形態を示す概略構成説明図である。
【図２】同前本発明の実施の形態を示す概略ブロック図である。
【図３】（Ａ）（Ｂ）（Ｃ）は測定対象眼のディオプター値の相違による光束の状態の相違を示す説明図である。
【図４】図４（Ａ）（Ｂ）（Ｃ）（Ｄ）（Ｅ）は受光及び測定対象眼眼底からの反射光束の状態を示す説明図である。
【図５】（Ａ）は受光素子に到達する光源各点の反射光束の状態を示す説明図、（Ｂ）は遮光部材によって遮られた場合の各光束の光量変化を示す説明図である。
【図６】（Ａ）は受光素子に到達する光源各点の反射光束の状態を示す説明図、（Ｂ）は遮光部材によって遮られた場合の各光束の光量変化を示す説明図である。
【図７】（Ａ）は受光素子に到達する光源各点の反射光束の状態を示す説明図、（Ｂ）は遮光部材によって遮られた場合の各光束の光量変化を示す説明図である。
【図８】ディオプター値に対応した受光面での光量分布状態を示す説明図である。
【図９】ディオプター値に対応した受光面での光量分布状態を示す説明図である。
【図１０】ディオプター値に対応した受光面での光量分布状態を示す説明図である。
【図１１】光量分布状態よりディオプター値を求める場合の説明図である。
【図１２】（Ａ）は通常の眼球状態を示す図、（Ｂ）は該状態での光量分布を示す線図、（Ｃ）は同前光量変化率を示す線図である。
【図１３】（Ａ）はまばたき状態を示す図、（Ｂ）は該状態での光量分布を示す線図、（Ｃ）は同前光量変化率を示す線図である。
【図１４】同前実施の形態に於ける示すブロック図である。
【図１５】同前実施の形態に於ける測定方法を示すフローチャートである。
【図１６】（Ａ）は前記眼科測定装置の撮像画面の図、（Ｂ）は測定対象眼部分を拡大した図、（Ｃ）は輝点像を示す図である。
【図１７】眼科測定装置の撮像画面を示す図である。
【図１８】（Ａ）は図１６（Ｂ）と同様測定対象眼部分の拡大図、（Ｂ）は輝点を含む範囲を示す図、（Ｃ）は輝点を通過するエッヂに対して平行な走査線の光量分布図、（Ｄ）はエッヂに対して直角方向の走査線の光量分布図である。
【図１９】表示器の表示画面の図である。
【図２０】（Ａ）は図１６（Ｂ）と同様測定対象眼部分の拡大図、（Ｂ）は瞳孔を含む走査領域を示す図、（Ｃ）はエッヂに対して直角方向の走査線の光量分布を示す図である。
【図２１】（Ａ）（Ｂ）（Ｃ）は平均化した光量分布を求める場合の説明図である。
【図２２】光量分布と近似直線の関係を示す図である。
【図２３】近似直線の求め方を示す説明図である。
【図２４】近似直線の求め方を示す説明図である。
【図２５】第１の測定方法を示すフローチャートである。
【図２６】視標を瞬時に遠から近に切換えた場合の測定対象眼の眼屈折力等の状態変化を示す線図である。
【図２７】視標を瞬時に近から遠に切換えた場合の測定対象眼の眼屈折力等の状態変化を示す線図である。
【図２８】本発明の第２の実施の形態を示す概略構成説明図である。
【図２９】第２の測定方法を示すフローチャートである。
【図３０】視標を徐々に遠から近に移動させた場合の測定対象眼の眼屈折力等の状態変化を示す線図である。
【図３１】視標を徐々に近から遠に移動させた場合の測定対象眼の眼屈折力等の状態変化を示す線図である。
【図３２】第２の実施の形態に於ける表示の態様を示す説明図である。
【図３３】第２の実施の形態に於ける他の表示の態様を示す説明図である。
【図３４】データを再表示する場合のフローチャートである。
【図３５】第２の実施の形態に於ける表示の他の態様を示す説明図である。
【符号の説明】
１          照射光学系
２          受光光学系
３          測定対象眼
４          光源
６          瞳孔
９          受光素子
１３        演算器
１４        表示器
１５        測定光学系
１６        フレームメモリ
１７        演算処理部
１８        制御部
１９        測定開始スイッチ
３１        視標系
３５        第１固視標
３６        第２固視標
３９        可動固視標
【図１】
0004174126.tif 000002
【図２】
0004174126.tif 000003
【図３】
0004174126.tif 000004
【図４】
0004174126.tif 000005
【図５】
0004174126.tif 000006
【図６】
0004174126.tif 000007
【図７】
0004174126.tif 000008
【図８】
0004174126.tif 000009
【図９】
0004174126.tif 000010
【図１０】
0004174126.tif 000011
【図１１】
0004174126.tif 000012
【図１２】
0004174126.tif 000013
【図１３】
0004174126.tif 000014
【図１４】
0004174126.tif 000015
【図１５】
0004174126.tif 000016
【図１６】
0004174126.tif 000017
【図１７】
0004174126.tif 000018
【図１８】
0004174126.tif 000019
【図１９】
0004174126.tif 000020
【図２０】
0004174126.tif 000021
【図２１】
0004174126.tif 000022
【図２２】
0004174126.tif 000023
【図２３】
0004174126.tif 000024
【図２４】
0004174126.tif 000025
【図２５】
0004174126.tif 000026
【図２６】
0004174126.tif 000027
【図２７】
0004174126.tif 000028
【図２８】
0004174126.tif 000029
【図２９】
0004174126.tif 000030
【図３０】
0004174126.tif 000031
【図３１】
0004174126.tif 000032
【図３２】
0004174126.tif 000033
【図３３】
0004174126.tif 000034
【図３４】
0004174126.tif 000035
【図３５】
0004174126.tif 000036